(57)【要約】      （修正有）【課題】合成樹脂又はプラスチックからなる物品で男女兼用腰掛け便器で男子が小便をする時使用する小用便具の提供。【解決手段】兼用腰掛け便器において男子が小用を足す時には周囲を汚しやすい原因は高い位置からの放尿である小用便具はその放尿の飛散を防止するためのもので便器の上の便座を立上げたところへ小用便具を載せますとコの字型の高い壁となりますそれが放尿時の飛散を防止をできることを特徴とする男性専用の小用便具【選択図】図１
0003138603.tif 000002
【実用新案登録請求の範囲】
【請求項１】
本考案は男女兼用腰掛便器で男子が小便をする時に注意をしても汚してしまいますそれを少なくなるよう男子が気がねせず用便できるように考案したものです
【請求項２】
本考案の小用便具を使用してからいかに簡単で邪魔にならず整理できるかを考案したものです
【考案の詳細な説明】
【考案の詳細な説明】
【技術分野】
【０００１】写真図、図１１、の状態の小用便具を図１２、のように折曲げて厚みを少なくして図１３、の収納台に入れますそれを便所の壁の隅に置きそれは図１７、のように腰掛便器の脇に置くことができます
兼用便器の座板を上げた所え小用便具をのせて開き図２０、のようになるのです図２１、はそれの正面図ですこれで使用できます
使用しましたら元の収納台え入れておくのです
【図面の簡単な説明】
【図１】本考案本体の平面図です
【図２】正面図です
【図３】側面図です
【図４】符号５の所で折り曲げた側面図です
【図５】折り曲げた平面図です
【図６】本体を収納する物入台です
【図７】収納台の側面図です
【図８】本体を折り曲げ収納台に入れた正面図です
【図９】本体を折り曲げ収納台に入れた側面図です
【図１０】本体を折り曲げ収納台に入れた平面図です
【符号の説明】
１は本考案本体の背板です
２は両側の立板です
３引手です
４上部の持手です
５は両側立板を折曲げる金具です
６は立側板を安定させる金具です
７は収納台の背板です
８は収納台の側板です
９は本体を収納した時の安定受板です
１０は収納台の底台です
【図１】
0003138603.tif 000003
【図２】
0003138603.tif 000004
【図４】
0003138603.tif 000005
【図５】
0003138603.tif 000006
【図６】
0003138603.tif 000007
【図７】
0003138603.tif 000008
【図８】
0003138603.tif 000009
【図９】
0003138603.tif 000010
【図１０】
0003138603.tif 000011
【手続補正書】
【提出日】平成19年3月12日(2007.3.12)
【手続補正１】
【補正対象書類名】実用新案登録請求の範囲
【補正対象項目名】全文
【補正方法】変更
【補正の内容】
【実用新案登録請求の範囲】
【請求項１】
合成樹脂又はプラスチックからなる物品で男女兼用腰掛便器にて男性が小便をする時用囲を汚さぬよう補助をする小用便具
【請求項２】
兼用腰掛便器にて男性が小便をする時に便座を立上げて本考案の小用便具を乗せれば男性専用便器と変り女性が便座を使う時には取はずして折曲げれば邪魔にならぬように置くことのできる小用便具
【手続補正２】
【補正対象書類名】明細書
【補正対象項目名】全文
【補正方法】変更
【補正の内容】
【考案の詳細な説明】
【技術分野】
【０００１】本考案は合成樹脂又はプラスチックからなる物品で男女兼用腰掛便器で男性が小便をする時使用する小用便具
【背景技術】
【０００２】現在使用されている兼用腰掛便器では男性が使用する時に高さが底く用囲を汚してしまうのです
【考案の開示】
【考案が解決しようとする課題】
【０００３】いかにして用囲を汚さず男性が使用しやすく清潔に女性を悩ませず整理できるかを考案したものである
【課題を解決するための手段】
【０００４】本考案は合成樹脂又はプラスチックからなる物品で兼用腰掛便器にて男性が小便をする時に兼用腰掛便器の便座を上げてその所に乗せて用囲を汚さず楽くに用が足せるために補助をするもので兼用腰掛便器の欠点を補助し男性の悩みを解決すると思う
【考案の効果】
【０００５】本考案に係る小用便具を兼用腰掛便器の便座を立上げて乗せますと男性専用小便器と変りなく使えて男性が力づよく小便ができて健康にもよく用囲が汚れませんので衛生にもよくなる小用便具
【考案を実施するための最良の形態】
【０００６】図１、は平面図で箱形です図２、は箱形を立てた図で図３、は立てた側面の図ですこの小用便具を兼用腰掛便器の便座を立上げた所え乗せて使用する小用便具の形態なのである
【考案を実施するための形態】
【０００７】図４は兼用腰掛便器に小用便具を乗せて男性が使用してから女性が便座を使用するのに邪魔になりますから図４と図５のように折曲げまして兼用腰掛便器から取はずします図６はその側面図である
【０００８】図７は兼用腰掛便器の便座を立上げて小用便具を乗せて使用してる時の形態図で女性が便座を使う時に邪魔になりますので図４のように折曲て図５の図６の形態となり図８のように収納台に入れて兼用便器の脇の邪魔にならぬ便所の隅などに置くことできる小用便具
【産業上の利用可能性】
【０００９】兼用腰掛便器を男性の専用のように便利に気持よく使えて用囲を汚さず衛生にもよく男性の健康ためになり主婦の悩みを解消します
【図面の簡単な説明】
【００１０】
【図１】は本考案の小用便具の平面図である
【図２】は本考案の小用便具の正面図である
【図３】は本考案の小用便具の側面図である
【図４】は本考案の小用便具の符号５の所で折曲げた正面図である
【図５】は本考案の小用便具の符号５の所で折曲げた平面図である
【図６】は本考案の小用便具の符号５の所で折曲げた側面図である
【図７】は兼用腰掛便器の便座を立上げた所え本考案の小用便具を乗せれば男性専用小便器なった形態の図である
【図８】は兼用腰掛便器にて本考案の小用便を図７の形態で男性が使用しましたら図４と図５と図６のような形態にしまして女性が使用するに邪魔になりますから図８のように収納台え入れまして腰掛便器の脇や便所の隅に置くのである
【符号の説明】
【００１１】１    背板
２    立板
３    引手
４    持手
５    折曲げる金具
６    安定金具
【手続補正３】
【補正対象書類名】図面
【補正対象項目名】全図
【補正方法】変更
【補正の内容】
【図１】
0003138603.tif 000012
【図２】
0003138603.tif 000013
【図３】
0003138603.tif 000014
【図４】
0003138603.tif 000015
【図５】
0003138603.tif 000016
【図６】
0003138603.tif 000017
【図７】
0003138603.tif 000018
【図８】
0003138603.tif 000019
【手続補正書】
【提出日】平成19年6月28日(2007.6.28)
【手続補正１】
【補正対象書類名】実用新案登録請求の範囲
【補正対象項目名】全文
【補正方法】変更
【補正の内容】
【実用新案登録請求の範囲】
【請求項１】
兼用腰掛便器において男性が小用を足す時には周囲を汚しやすい原因は高い位置からの放尿である本考案の小用便具はその放尿の飛散を防止するためのもので便器の上の便座を立上げた所え小用便具を載せますとコの字型の高い壁となりますそれが、放尿時の飛散を防止をできることを特徴とする男性専用の小用便具
【請求項２】
前記請求項に係る小用便具において使用後には腰掛て使用するには邪魔になりますので背板（１）と立板（２）を折曲げ金具（５）を用ちいて折曲げまして収納台え入れまして腰掛便器の脇や便所の隅に置くことのできることを特徴とする男性専用の小用便具
【手続補正書】
【提出日】平成19年10月10日(2007.10.10)
【手続補正１】
【補正対象書類名】実用新案登録請求の範囲
【補正対象項目名】全文
【補正方法】変更
【補正の内容】
【実用新案登録請求の範囲】
【請求項１】
兼用腰掛便器において男性が小用を足す時には周囲を汚しやすい原因は高い位置からの放尿である本考案の小用便具はその放尿の飛散を防止するためのもので便器の上の便座を立上げた所え小用便具を載せますとコの字型の高い壁となりますそれが放尿時の飛散を防止をできることを特徴とする男性専用の小用便具
【請求項２】
請求項１に記載の小用便具において使用後には腰掛て使用するには邪魔になりますので背板（１）と立板（２）を折曲げ金具（５）を用ちいて折曲げまして収納台え入れまして腰掛便器の脇や便所の隅に置くことのできることを特徴とする男性専用の小用便具